(57)【要約】【課題】複数の駐車場のオーナーが提供し、複数のパートナーにより管理される複数の駐車場をシームレスに予約するプラットフォームは存在しなかった。【解決手段】２以上の駐車場情報が格納される駐車場情報格納部と、２以上のオーナー情報が格納されるオーナー情報格納部と、２以上のパートナー情報が格納されるパートナー情報格納部と、１以上の予約情報が格納される予約情報格納部と、２以上のパートナーが管理する２以上の駐車場の予約を行う画面を構成する画面情報が格納される画面情報格納部と、画面出力指示をユーザ端末から受信する画面出力指示受信部と、画面出力指示に応じて、画面情報をユーザ端末に送信する画面情報送信部と、貸与指示をユーザ端末から受信する貸与指示受信部と、貸与指示に応じて、予約情報を構成し、予約情報格納部に蓄積する予約情報構成部とを具備する駐車場予約管理装置により、かかるプラットフォームを提供できる。【選択図】図１
2018106544.tif 000002
【特許請求の範囲】
【請求項１】
駐車場に関する情報であり、駐車場を識別する駐車場識別子を有する２以上の駐車場情報が格納される駐車場情報格納部と、
駐車場のオーナーに関する情報であり、オーナーを識別するオーナー識別子と１以上の駐車場識別子とを有する２以上のオーナー情報が格納されるオーナー情報格納部と、
１以上の駐車場を管理する組織であるパートナーに関する情報であり、１以上のオーナー識別子または１以上の駐車場識別子と、パートナーを識別するパートナー識別子とを有する２以上のパートナー情報が格納されるパートナー情報格納部と、
駐車場の予約に関する情報であり、駐車場を予約するユーザを識別するユーザ識別子と、駐車場識別子または駐車場内の一駐車場所を識別する箇所識別子とを有する１以上の予約情報が格納される予約情報格納部と、
２以上のパートナー識別子に対応する２以上のパートナーが管理する２以上の駐車場の予約を行う画面を構成する画面情報が格納される画面情報格納部と、
画面情報の出力の指示である画面出力指示を、ユーザ端末から受信する画面出力指示受信部と、
前記画面出力指示の受信に応じて、前記画面情報を前記ユーザ端末に送信する画面情報送信部と、
駐車場の貸与の申し出であり、駐車場識別子または駐車場内の一駐車場所を識別する箇所識別子と、駐車場の貸与の時間帯に関する時間帯情報とを有する申し出である貸与指示を、ユーザ端末から受信する貸与指示受信部と、
前記貸与指示の受信に応じて、予約情報を構成し、前記予約情報格納部に蓄積する予約情報構成部とを具備する駐車場予約管理装置。
【請求項２】
駐車場の予約または駐車場の利用に対して、前記ユーザに課金するための課金処理を行う課金処理部と、
前記課金処理により課金された金額を、前記オーナーと前記パートナーと当該駐車場予約管理装置の運営企業との間で分配するための分配処理を行う分配処理部とをさらに具備する請求項１記載の駐車場予約管理装置。
【請求項３】
前記課金処理部は、
予め決められた条件を満たした場合に、前記課金処理を行う請求項２記載の駐車場予約管理装置。
【請求項４】
前記パートナー情報は、
オーナーとパートナーとの間の分配に関する分配情報、パートナーと当該駐車場予約管理装置の運営企業との間の分配に関する分配情報のうちに１以上の分配情報を有し、
前記分配処理部は、
前記パートナー情報が有する分配情報を用いて、分配処理を行う請求項２または請求項３記載の駐車場予約管理装置。
【請求項５】
前記オーナー情報は、
オーナーとパートナーとの間の分配に関する分配情報を有し、
前記分配処理部は、
前記オーナー情報が有する分配情報を用いて、分配処理を行う請求項２から請求項４いずれか一項に記載の駐車場予約管理装置。
【請求項６】
パートナー情報と、当該パートナー情報に対応する１以上のオーナー情報と，当該オーナー情報に対応する１以上の駐車場情報を有するパートナー登録情報を受け付ける受付部と、
前記パートナー登録情報が有するパートナー情報を前記パートナー情報格納部に蓄積し、前記パートナー登録情報が有する１以上のオーナー情報を前記オーナー情報格納部に蓄積し、前記パートナー登録情報が有する１以上の駐車場情報を前記駐車場情報格納部に蓄積するパートナー登録部とをさらに具備する請求項１から請求項５いずれか一項に記載の駐車場予約管理装置。
【請求項７】
記録媒体は、
駐車場に関する情報であり、駐車場を識別する駐車場識別子を有する２以上の駐車場情報が格納される駐車場情報格納部と、
駐車場のオーナーに関する情報であり、オーナーを識別するオーナー識別子と１以上の駐車場識別子とを有する２以上のオーナー情報が格納されるオーナー情報格納部と、
１以上の駐車場を管理する組織であるパートナーに関する情報であり、１以上のオーナー識別子または１以上の駐車場識別子と、パートナーを識別するパートナー識別子とを有する２以上のパートナー情報が格納されるパートナー情報格納部と、
駐車場の予約に関する情報であり、駐車場を予約するユーザを識別するユーザ識別子と、駐車場識別子または駐車場内の一駐車場所を識別する箇所識別子とを有する１以上の予約情報が格納される予約情報格納部と、
２以上のパートナー識別子に対応する２以上のパートナーが管理する２以上の駐車場の予約を行う画面を構成する画面情報が格納される画面情報格納部とを具備し、
画面出力指示受信部、画面情報送信部、貸与指示受信部、および予約情報構成部によって実現される駐車場予約管理方法であって、
前記画面出力指示受信部が、画面情報の出力の指示である画面出力指示を、ユーザ端末から受信する画面出力指示受信ステップと、
前記画面情報送信部が、前記画面出力指示の受信に応じて、前記画面情報を前記ユーザ端末に送信する画面情報送信ステップと、
前記貸与指示受信部が、駐車場の貸与の申し出であり、駐車場識別子または駐車場内の一駐車場所を識別する箇所識別子と、駐車場の貸与の時間帯に関する時間帯情報とを有する申し出である貸与指示を、ユーザ端末から受信する貸与指示受信ステップと、
前記予約情報構成部が、前記貸与指示の受信に応じて、予約情報を構成し、前記予約情報格納部に蓄積する予約情報構成ステップとを含む駐車場予約管理方法。
【請求項８】
コンピュータがアクセス可能な記録媒体は、
駐車場に関する情報であり、駐車場を識別する駐車場識別子を有する２以上の駐車場情報が格納される駐車場情報格納部と、
駐車場のオーナーに関する情報であり、オーナーを識別するオーナー識別子と１以上の駐車場識別子とを有する２以上のオーナー情報が格納されるオーナー情報格納部と、
１以上の駐車場を管理する組織であるパートナーに関する情報であり、１以上のオーナー識別子または１以上の駐車場識別子と、パートナーを識別するパートナー識別子とを有する２以上のパートナー情報が格納されるパートナー情報格納部と、
駐車場の予約に関する情報であり、駐車場を予約するユーザを識別するユーザ識別子と、駐車場識別子または駐車場内の一駐車場所を識別する箇所識別子とを有する１以上の予約情報が格納される予約情報格納部と、
２以上のパートナー識別子に対応する２以上のパートナーが管理する２以上の駐車場の予約を行う画面を構成する画面情報が格納される画面情報格納部とを具備し、
前記コンピュータを、
画面情報の出力の指示である画面出力指示を、ユーザ端末から受信する画面出力指示受信部と、
前記画面出力指示の受信に応じて、前記画面情報を前記ユーザ端末に送信する画面情報送信部と、
駐車場の貸与の申し出であり、駐車場識別子または駐車場内の一駐車場所を識別する箇所識別子と、駐車場の貸与の時間帯に関する時間帯情報とを有する申し出である貸与指示を、ユーザ端末から受信する貸与指示受信部と、
前記貸与指示の受信に応じて、予約情報を構成し、前記予約情報格納部に蓄積する予約情報構成部として機能させるためのプログラム。
【発明の詳細な説明】
【技術分野】
【０００１】
本発明は、駐車場の予約を管理する駐車場予約管理装置等に関するものである。
【背景技術】
【０００２】
従来、駐車場を予約できるウェブページがあった（例えば、非特許文献１参照）。
【先行技術文献】
【非特許文献】
【０００３】
【非特許文献１】ａｋｉｐｐａ、［平成２８年１２月２２日検索］、インターネット［URL：https://www.akippa.com/］
【発明の概要】
【発明が解決しようとする課題】
【０００４】
従来、駐車場の予約サイトの運営会社が駐車場のオーナーを発掘し、駐車場の予約サイトの運営会社とオーナーとの２階層でのウェブページの運営が多数存在していた。
【０００５】
そのため、従来技術においては、ユーザは、予約した駐車場を探す場合に、異なるユーザインターフェイスの複数のウェブサイトにアクセスせざるを得ない状況であり、利用しにくかった。
【０００６】
そして、複数の駐車場の予約サイトの運営会社の複数のウェブサイトを統合するような仕組みが存在しなかった。
【０００７】
つまり、従来技術においては、複数の駐車場のオーナーが提供し、複数の管理組織であるパートナー（現在の予約サイトの運営会社に相当）により管理される複数の駐車場をシームレスに予約するプラットフォームが存在しなかった。
【課題を解決するための手段】
【０００８】
本第一の発明の駐車場予約管理装置は、駐車場に関する情報であり、駐車場を識別する駐車場識別子を有する２以上の駐車場情報が格納される駐車場情報格納部と、駐車場のオーナーに関する情報であり、オーナーを識別するオーナー識別子と１以上の駐車場識別子とを有する２以上のオーナー情報が格納されるオーナー情報格納部と、１以上の駐車場を管理する組織であるパートナーに関する情報であり、１以上のオーナー識別子または１以上の駐車場識別子と、パートナーを識別するパートナー識別子とを有する２以上のパートナー情報が格納されるパートナー情報格納部と、駐車場の予約に関する情報であり、駐車場を予約するユーザを識別するユーザ識別子と、駐車場識別子または駐車場内の一駐車場所を識別する箇所識別子とを有する１以上の予約情報が格納される予約情報格納部と、２以上のパートナー識別子に対応する２以上のパートナーが管理する２以上の駐車場の予約を行う画面を構成する画面情報が格納される画面情報格納部と、画面情報の出力の指示である画面出力指示を、ユーザ端末から受信する画面出力指示受信部と、画面出力指示の受信に応じて、画面情報をユーザ端末に送信する画面情報送信部と、駐車場の貸与の申し出であり、駐車場識別子または駐車場内の一駐車場所を識別する箇所識別子と、駐車場の貸与の時間帯に関する時間帯情報とを有する申し出である貸与指示を、ユーザ端末から受信する貸与指示受信部と、貸与指示の受信に応じて、予約情報を構成し、予約情報格納部に蓄積する予約情報構成部とを具備する駐車場予約管理装置である。
【０００９】
かかる構成により、複数の駐車場のオーナーが提供し、複数の管理組織であるパートナーにより管理される複数の駐車場をシームレスに予約できるプラットフォームを提供できる。
【００１０】
また、本第二の発明の駐車場予約管理装置は、第一の発明に対して、駐車場の予約または駐車場の利用に対して、ユーザに課金するための課金処理を行う課金処理部と、課金処理により課金された金額を、オーナーとパートナーと駐車場予約管理装置の運営企業との間で分配するための分配処理を行う分配処理部とをさらに具備する駐車場予約管理装置である。
【００１１】
かかる構成により、上記プラットフォームにおいて、課金した金額を適切に分配できる。
【００１２】
また、本第三の発明の駐車場予約管理装置は、第二の発明に対して、課金処理部は、予め決められた条件を満たした場合に、課金処理を行う駐車場予約管理装置である。
【００１３】
かかる構成により、上記プラットフォームにおいて、適切に課金できる。
【００１４】
また、本第四の発明の駐車場予約管理装置は、第二または第三の発明に対して、パートナー情報は、オーナーとパートナーとの間の分配に関する分配情報、パートナーと駐車場予約管理装置の運営企業との間の分配に関する分配情報のうちに１以上の分配情報を有し、分配処理部は、パートナー情報が有する分配情報を用いて、分配処理を行う駐車場予約管理装置である。
【００１５】
かかる構成により、パートナー毎の分配条件に従った、金額の分配ができる。
【００１６】
また、本第五の発明の駐車場予約管理装置は、第二から第四いずれか１つの発明に対して、オーナー情報は、オーナーとパートナーとの間の分配に関する分配情報を有し、分配処理部は、オーナー情報が有する分配情報を用いて、分配処理を行う駐車場予約管理装置である。
【００１７】
かかる構成により、オーナー毎の分配条件に従った、金額の分配ができる。
【００１８】
また、本第六の発明の駐車場予約管理装置は、第一から第五いずれか１つの発明に対して、パートナー情報と、パートナー情報に対応する１以上のオーナー情報と，オーナー情報に対応する１以上の駐車場情報を有するパートナー登録情報を受け付ける受付部と、パートナー登録情報が有するパートナー情報をパートナー情報格納部に蓄積し、パートナー登録情報が有する１以上のオーナー情報をオーナー情報格納部に蓄積し、パートナー登録情報が有する１以上の駐車場情報を駐車場情報格納部に蓄積するパートナー登録部とをさらに具備する駐車場予約管理装置である。
【００１９】
かかる構成により、パートナー情報等の登録ができる。
【発明の効果】
【００２０】
本発明によれば、複数の駐車場のオーナーが提供し、複数の管理組織であるパートナーにより管理される複数の駐車場をシームレスに予約するプラットフォームを提供できる。
【図面の簡単な説明】
【００２１】
【図１】実施の形態における駐車場予約管理システムのブロック図
【図２】同駐車場予約管理装置の動作を説明するフローチャート
【図３】同管理端末の動作を説明するフローチャート
【図４】同ユーザ端末の動作を説明するフローチャート
【図５】具体例１における駐車場情報のデータ構造図
【図６】同オーナー情報のデータ構造図
【図７】同パートナー情報のデータ構造図
【図８】同画面情報の出力例を示す図
【図９】同駐車場予約管理システムを用いて実現されるプラットフォームの概念図
【図１０】具体例２におけるオーナー情報のデータ構造図
【図１１】同パートナー情報のデータ構造図
【図１２】同コンピュータシステムの外観図
【図１３】同コンピュータシステムの内部構成の一例を示す図
【発明を実施するための形態】
【００２２】
以下、駐車場予約管理装置を含む駐車場予約管理システムの実施形態について図面を参照して説明する。なお、実施の形態において同じ符号を付した構成要素は同様の動作を行うので、再度の説明を省略する場合がある。
【００２３】
本実施の形態では、駐車場の予約を３階層以上の管理者（例えば、オーナー、パートナー、運営企業など）が管理する駐車場予約管理システムについて説明する。また、課金、および分配を行う駐車場予約管理システムについて説明する。また、予め決められた条件を満たした場合に（例えば、利用開始時間から閾値以内になったこと、実利用を検知したこと等に応じて）、課金する駐車場予約管理システムについて説明する。また、パートナー毎に金額の分配条件を管理する駐車場予約管理システムについて説明する。また、オーナー毎に金額の分配条件を管理する駐車場予約管理システムについて説明する。さらに、オーナーの情報と共にパートナーの情報を登録できる駐車場予約管理システムについて説明する。
【００２４】
図１は、本実施の形態における駐車場予約管理システムのブロック図である。この駐車場予約管理システムは、駐車場予約管理装置１、１または２以上の管理端末２、および１または２以上のユーザ端末３を備える。１以上の管理端末２および１以上のユーザ端末３の各々は、例えば、ＬＡＮやインターネット等のネットワーク、無線または有線の通信回線などを介して、駐車場予約管理装置１と通信可能に接続される。
【００２５】
駐車場予約管理装置１は、駐車場予約管理システムを運営する運営企業のサーバである。駐車場予約管理装置１は、例えば、クラウドサーバであるが、そのタイプや設置場所は問わない。
【００２６】
管理端末２は、本駐車場予約管理システムを管理する管理者の端末である。管理者とは、例えば、本駐車場予約管理システムの運営企業、パートナー、オーナーなどである。ユーザ端末３は、本駐車場予約管理システムを利用して駐車場の予約を行うユーザの端末である。管理者、ユーザいずれの端末も、例えば、いわゆるパーソナルコンピュータ（ＰＣ）、ノートパソコン、スマートフォン、携帯電話、携帯端末、タブレット端末等であり、その種類は問わない。なお、駐車場の入り口に設置された発券機は、管理者の端末と考えてもよい。
【００２７】
駐車場予約管理装置１は、格納部１１、受付部１２、受信部１３、処理部１４、および送信部１５を備える。格納部１１は、駐車場情報格納部１１１、オーナー情報格納部１１２、パートナー情報格納部１１３、画面情報格納部１１４、および予約情報格納部１１５を備える。受信部１３は、画面出力指示受信部１３１、および貸与指示受信部１３２を備える。処理部１４は、パートナー登録部１４１、オーナー登録部１４２、予約情報構成部１４３、課金処理部１４４、および分配処理部１４５を備える。送信部１５は、画面情報送信部１５１を備える。
【００２８】
管理端末２は、管理受付部２１、管理処理部２２、管理出力部２３、管理受信部２４、および管理送信部２５を備える。
【００２９】
ユーザ端末３は、ユーザ受付部３１、ユーザ処理部３２、ユーザ送信部３３、ユーザ受信部３４、およびユーザ出力部３５を備える。
【００３０】
駐車場予約管理装置１を構成する格納部１１は、各種の情報を格納し得る。各種の情報とは、例えば、駐車場情報、オーナー情報、パートナー情報、画面情報などである。
【００３１】
駐車場情報格納部１１１には、２以上の駐車場情報が格納される。駐車場情報とは、駐車場に関する情報である。駐車場情報は、駐車場識別子を有する。駐車場識別子とは、駐車場を識別する情報である。駐車場識別子は、例えば、駐車場を識別するＩＤ、駐車場の位置を示す位置情報、駐車場名などであるが、駐車場を識別できれば何でもよい。駐車場とは、移動体を駐車する場所である。移動体は、通常、自動車やバスなどの四輪車であるが、二輪車、自転車等の他の移動体を含むと考えても良い。
【００３２】
駐車場情報は、例えば、位置情報、設備情報、料金情報なども有することは好適である。位置情報とは、駐車場の位置を示す情報である。位置情報は、例えば、緯度および経度で表現された座標であるが、その表現形式は問わない。位置情報は、例えば、駐車場の代表地点を示す情報（例えば、緯度と経度）、駐車場の領域を示す情報である。設備情報とは、駐車場の設備に関する情報である。設備情報は、例えば、最大収容数、現時点で駐車可能な台数（以下、空台数と記す場合がある）などの情報を含む。ただし、設備情報の内容は問わない。設備情報とは、車両の種類を示す情報（例えば、軽自動車、普通車、大型車など）に対応付けて、駐車可能な自動車の台数の情報を有しても良い。料金情報とは、駐車場の設備に関する情報である。料金情報は、例えば、単位時間当たりの料金、時間帯別の料金などの情報を含む。単位時間とは、例えば、１時間、３０分、１５分、一日などである。時間帯とは、例えば、９時〜１８時、１８時以降、終日、平日、休日などであるが、これに限らない。ただし、料金情報の内容は問わない。
【００３３】
オーナー情報格納部１１２には、２以上のオーナー情報が格納される。オーナー情報とは、駐車場のオーナーに関する情報である。オーナーとは、駐車場を所有する人または組織である。オーナー情報は、オーナー識別子と１以上の駐車場識別子とを有する。オーナー識別子とは、オーナーを識別する情報である。オーナー識別子は、例えば、オーナーを識別するＩＤ、オーナー名などであるが、オーナーを識別できれば何でもよい。
【００３４】
オーナー情報は、例えば、第一分配情報を有することは好適である。第一分配情報とは、オーナーとパートナーとの間の分配に関する情報である。第一分配情報は、例えば、オーナーとパートナーとの間の分配の比率を有する。オーナーとパートナーとの間の分配の比率は、例えば、５：４、７：２などであってもよい。ただし、第一分配情報のデータ構造や比率等は問わない。なお、分配とは、収益の分配である。
【００３５】
パートナー情報格納部１１３には、２以上のパートナー情報が格納される。パートナー情報とは、パートナーに関する情報である。パートナーとは、１以上の駐車場を管理する組織である。パートナー情報は、１以上のオーナー識別子または１以上の駐車場識別子と、パートナー識別子とを有する。パートナー識別子とは、パートナーを識別する情報である。パートナー識別子は、例えば、パートナーを識別するＩＤ、パートナー名などであるが、パートナーを識別できれば何でもよい。
【００３６】
パートナー情報は、例えば、第一分配情報または第二分配情報のうち１以上の分配情報を有することは好適である。パートナー情報は、通常、第二分配情報を有する。第二分配情報とは、パートナーと駐車場予約管理装置１の運営企業との間の分配に関する情報である。第二分配情報は、例えば、パートナーと運営企業との間の分配の比率を有する。パートナーと運営企業との間の分配の比率は、例えば、４：３、２：１などであってもよい。ただし、第二分配情報のデータ構造は問わない。
【００３７】
パートナー情報は、例えば、第一分配情報および第二分配情報を有することは、より好適である。かかるパートナー情報は、オーナーとパートナーと運営企業との間の分配の比率を示す。オーナーとパートナーと運営企業との間の分配の比率は、例えば、５：４：３、７：２：１などであってもよい。
【００３８】
画面情報格納部１１４には、画面情報が格納される。画面情報とは、画面を構成する情報である。ここでいう画面は、通常、駐車場の予約を行う画面である。画面は、例えば、２以上の各パートナー識別子に対応するパートナーが管理する２以上のオーナーの駐車場の予約を行う画面であることは好適である。画面情報は、例えば、ＨＴＭＬ、ＸＭＬ、画像データとプログラム等である。ただし、画面情報の実現手段は問わない。
【００３９】
予約情報格納部１１５には、１以上の予約情報が格納される。予約情報とは、駐車場の予約に関する情報である。予約情報は、ユーザ識別子と、駐車場識別子または箇所識別子とを有する。ユーザ識別子とは、駐車場を予約するユーザを識別する情報である。ユーザとは、駐車場を予約する予約者である。ユーザ識別子は、例えば、ユーザを識別するＩＤ、クレジットカード番号などであるが、ユーザを識別し得る情報であれば何でもよい。箇所識別子とは、駐車場内の一駐車場所を識別する情報である。箇所識別子は、例えば、駐車場所のＩＤなどであるが、駐車場内の一駐車場所を識別し得る情報であれば何でもよい。
【００４０】
予約情報は、通常、時間帯情報も有する。時間帯情報とは、駐車場の貸与の時間帯に関する情報である。時間帯情報は、例えば、時間帯でもよいし、時間帯を示すＩＤ等でもよい。予約情報は、移動体の種類を示す情報（例えば、軽自動車、普通車、大型車等）をも有しても良い。
【００４１】
受付部１２は、各種の情報を受け付ける。各種の情報とは、例えば、パートナー登録情報、オーナー登録情報などである。パートナー登録情報とは、パートナーの登録に関する情報である。
【００４２】
パートナー登録情報は、通常、パートナー情報と、当該パートナー情報に対応する１以上のオーナー情報と、当該オーナー情報に対応する１以上の駐車場情報とを有する。ただし、パートナー登録情報のデータ構造は問わない。受付部１２は、パートナー情報と１以上のオーナー情報と１以上の駐車場情報とを、一度に受け付けることは好適である。かかることにより、パートナーの以前の運用が、そのまま引き継がれて駐車場予約管理装置１で運用されることになる。なお、以前の運用とは、パートナーと１以上のオーナーとの間の収益の分配の情報や契約の情報等である。
【００４３】
オーナー登録情報とは、オーナーの登録に関する情報である。オーナー登録情報は、通常、オーナー情報と、当該オーナー情報に対応する１以上の駐車場情報とを有する。ただし、オーナー登録情報のデータ構造は問わない。
【００４４】
受け付けとは、例えば、キーボード等の入力デバイスから入力された情報の受け付け、ネットワーク等を介して送信された情報の受信、光ディスクや磁気ディスク、半導体メモリなどの記録媒体から読み出された情報の受け付けなどを含む概念である。受付部１２は、パートナー登録情報等を、通常、ネットワーク等を介して管理端末２から受信するが、例えば、キーボード等の入力デバイスを介して受け付けてもよいし、記録媒体から読み出しても構わない。
【００４５】
ただし、受付部１２は、パートナー情報、オーナー情報、および駐車場情報を、個別に受け付けてもよい。
【００４６】
受信部１３は、各種の情報を受信する。各種の情報とは、例えば、画面出力指示、貸与指示などである。また、受信部１３は、管理端末２から空台数情報を受信してもよい。空台数情報は、駐車場識別子と、空台数とを有する。
【００４７】
画面出力指示受信部１３１は、ユーザ端末３から画面出力指示を受信する。画面出力指示とは、画面情報格納部１１４に格納されている画面情報の出力の指示である。画面出力指示は、例えば、画面識別子を有する。画面識別子とは、画面情報を識別する情報である。画面識別子は、例えば、画面情報を識別するＩＤであるが、何でもよい。ただし、画面出力指示のデータ構造は問わない。
【００４８】
画面出力指示受信部１３１は、画面出力指示を、通常、ユーザ識別子と対に受信する。なお、対に受信または送信することは、画面出力指示がユーザ識別子を有する場合も含む。
【００４９】
貸与指示受信部１３２は、ユーザ端末３から貸与指示を受信する。貸与指示とは、駐車場の貸与の申し出である。貸与指示は、駐車場識別子または箇所識別子と、時間帯情報とを有する。ただし、貸与指示のデータ構造は問わない。
【００５０】
貸与指示受信部１３２は、貸与指示を、通常、ユーザ識別子と対に受信する。なお、対に受信または送信することは、貸与指示がユーザ識別子を有する場合も含む。
【００５１】
処理部１４は、各種の処理を行う。各種の処理とは、例えば、パートナー登録部１４１、オーナー登録部１４２、予約情報構成部１４３、課金処理部１４４、および分配処理部１４５などの処理である。各種の処理には、フローチャートで説明する各種の判別なども含まれる。また、処理部１４は、例えば、受信部１３が管理端末２から空台数を受信したことに応じて、駐車場情報格納部１１１に格納されている駐車場情報が有する設備情報に含まれている空台数を、受信された空台数に更新してもよい。
【００５２】
パートナー登録部１４１は、受付部１２が受け付けたパートナー登録情報が有するパートナー情報をパートナー情報格納部１１３に蓄積する。また、パートナー登録部１４１は、受付部１２が受け付けたパートナー登録情報が有する１以上のオーナー情報をオーナー情報格納部１１２に蓄積する。さらに、パートナー登録部１４１は、受付部１２が受け付けたパートナー登録情報が有する１以上の駐車場情報を駐車場情報格納部１１１に蓄積する。パートナー登録部１４１は、受付部１２が受け付けたパートナー登録情報が有するパートナー情報と１以上のオーナー情報と１以上の駐車場情報とを一緒に格納部１１に蓄積することは好適である。また、受付部１２が受け付けたパートナー登録情報と、蓄積されるパートナー情報と１以上のオーナー情報と１以上の駐車場情報とは、データ構造が異なったり、各種の情報の識別子が異なっていたり等しても良い。つまり、受付部１２が受け付けたパートナー登録情報と、蓄積されるパートナー情報と１以上のオーナー情報と１以上の駐車場情報とは、完全に同じでなくても良い。但し、受付部１２が受け付けたパートナー登録情報と、蓄積されるパートナー情報と１以上のオーナー情報と１以上の駐車場情報とは、情報の実体（例えば、駐車場に関する情報、オーナーの氏名等）は、同じである。
【００５３】
ただし、パートナー登録部１４１は、受付部１２が受け付けたパートナー情報をパートナー情報格納部１１３に蓄積してもよい。また、パートナー登録部１４１は、受付部１２が受け付けたオーナー情報をオーナー情報格納部１１２に蓄積してもよい。さらに、パートナー登録部１４１は、受付部１２が受け付けた駐車場情報を駐車場情報格納部１１１に蓄積してもよい。
【００５４】
オーナー登録部１４２は、受付部１２が受け付けたオーナー登録情報が有するオーナー情報をオーナー情報格納部１１２に蓄積する。また、オーナー登録部１４２は、受付部１２が受け付けたオーナー登録情報が有する１以上の駐車場情報を駐車場情報格納部１１１に蓄積する。
【００５５】
ただし、オーナー登録部１４２は、受付部１２が受け付けたオーナー情報をオーナー情報格納部１１２に蓄積してもよい。またに、オーナー登録部１４２は、受付部１２が受け付けた駐車場情報を駐車場情報格納部１１１に蓄積してもよい。
【００５６】
予約情報構成部１４３は、貸与指示受信部１３２による貸与指示の受信に応じて、予約情報を構成し、予約情報格納部１１５に蓄積する。予約情報構成部１４３は、通常、受信された貸与指示が有する駐車場識別子または箇所識別子と、当該貸与指示と対に受信されたユーザ識別子とを有する予約情報を構成する。予約情報構成部１４３は、例えば、受信された貸与指示が有する駐車場識別子または箇所識別子と、当該貸与指示と対に受信されたユーザ識別子と、当該貸与指示が有する時間帯情報とを有する予約情報を構成することは好適である。
【００５７】
課金処理部１４４は、課金処理を行う。課金処理とは、駐車場の予約または駐車場の利用に対して、ユーザに課金するための処理である。課金処理部１４４は、予め決められた条件を満たした場合に、課金処理を行う。予め決められた条件とは、例えば、利用開始時間から閾値以内になったことでもよいし、実際に利用されたことを検知したことでもよい。また、課金処理とは、課金を行うために必要な処理であり、例えば、図示しない課金サーバへの課金のための情報の送信、課金に必要な情報の蓄積、クレジットカード番号を用いた課金処理等である。ここでの課金処理の内容は問わない。課金処理は公知技術で実現可能であるので、詳細な説明を省略する。
【００５８】
分配処理部１４５は、分配処理を行う。分配処理とは、課金処理により課金された金額を、オーナーとパートナーと駐車場予約管理装置１の運営企業との間で分配するための処理である。
【００５９】
分配処理部１４５は、例えば、パートナー情報が有する分配情報を用いて、分配処理を行う。パートナー情報が有する分配情報とは、第一分配情報または第二分配情報のうち１以上の分配情報である。具合的には、例えば、パートナー情報が第一分配情報を有する場合、分配処理部１４５は、当該第一分配情報を用いて、オーナーとパートナーとの間の分配処理を行う。または、例えば、パートナー情報が第二分配情報を有する場合、分配処理部１４５は、当該第二分配情報を用いて、パートナーと駐車場予約管理装置１の運営企業との間の分配処理を行う。または、パートナー情報が第一分配情報および第二分配情報を有する場合、分配処理部１４５は、オーナーとパートナーとの間の分配処理と、パートナーと駐車場予約管理装置１の運営企業との間の分配処理とを行う。分配処理とは、２者または３者等の各主体（例えば、オーナー、パートナー、駐車場予約管理装置１の運営企業）の間の収益の分配を決定する処理である。分配処理とは、例えば、オーナー、パートナー、駐車場予約管理装置１の運営企業のうちの２者以上の主体の収益を算出する処理である。分配処理とは、例えば、オーナー、パートナー、駐車場予約管理装置１の運営企業のうちの２者以上の主体の収益を算出し、当該２者以上に収益を入金する処理である。
【００６０】
また、分配処理部１４５は、オーナー情報が有する第一分配情報を用いて、オーナーとパートナーとの間の分配処理を行ってもよい。分配処理部１４５は、例えば、パートナー情報が第一分配情報を有さない場合に、オーナー情報が有する第一分配情報を用いて、オーナーとパートナーとの間の分配処理を行うことは好適である。
【００６１】
分配処理部１４５は、分配処理を、通常、所定の日時（例えば、月末の１２時、毎月１５日の１７時など）に実行するが、課金処理が完了したことに応じて実行してもよく、その実行のタイミングは問わない。
【００６２】
送信部１５は、各種の情報を送信する。各種の情報とは、例えば、予約情報、後述する画面情報などである。送信部１５は、例えば、駐車場識別子または箇所識別子と端末識別子との対の集合である第一対応情報を保持しており、予約情報構成部１４３が構成した予約情報を、当該予約情報が有する駐車場識別子または箇所識別子に対応する端末識別子で識別される管理端末２に送信する。
【００６３】
なお、端末識別子とは、管理端末２やユーザ端末３などの端末を識別する情報である。端末識別子は、例えば、ＭＡＣアドレス、ＩＰアドレスなどであるが、端末を識別し得る情報であれば何でもよい。
【００６４】
また、送信部１５は、例えば、ユーザ識別子と端末識別子との対の集合である第二対応情報を保持しており、構成された予約情報を、当該予約情報が有するユーザ識別子に対応する端末識別子で識別されるユーザ端末３に送信することは好適である。
【００６５】
画面情報送信部１５１は、画面情報をユーザ端末３に送信する。画面情報送信部１５１は、例えば、第二対応情報を保持しており、通常、画面出力指示受信部１３１による画面出力指示の受信に応じて、画面情報格納部１１４に格納されている画面情報を、当該画面出力指示と対に受信されたユーザ識別子に対応する端末識別子で識別されるユーザ端末３に送信する。画面情報送信部１５１は、画面情報格納部１１４に格納されている画面情報を、例えば、駐車場情報格納部１１１に格納されている２以上の駐車場情報と対に送信してもよい。
【００６６】
なお、ユーザ識別子は、ユーザ端末３を識別する端末識別子であってもよく、その場合、第二対応情報は不要である。
【００６７】
管理端末２を構成する管理受付部２１は、各種の情報を受け付ける。各種の情報とは、例えば、パートナー登録情報などである。管理受付部２１は、パートナー登録情報を、通常、キーボード等の入力デバイスを介して受け付ける。
【００６８】
管理処理部２２は、各種の処理を行う。各種の処理とは、例えば、後述するフローチャートで説明する各種の判別、パートナー登録情報等の登録処理などである。また、管理処理部２２は、当該駐車場の空台数を取得し、空台数情報を構成してもよい。空台数情報は、例えば、当該駐車場を識別する駐車場識別子と、空台数と時間帯との対の集合とを有する。管理処理部２２は、かかる処理を、例えば、駐車場への入庫、駐車場からの出庫、または予約が受け付けられるたびに実行してもよい。なお、かかる処理は、公知の技術を用いて行うことができるので、詳細な説明は省略する。
【００６９】
管理出力部２３は、各種の情報を出力する。各種の情報とは、例えば、予約情報などである。一般に、出力とは、ディスプレイへの表示、スピーカーからの音出力、プリンタでの印字、外部の装置への送信、記録媒体への蓄積、他の処理装置や他のプログラムなどへの処理結果の引渡しなどを含む概念である。
【００７０】
管理出力部２３は、管理受信部２４が受信した予約情報、各種の登録情報等を、通常、ディスプレイやスピーカー等の出力デバイスを介して出力する。ただし、管理出力部２３は、予約情報を、例えば、プリンタで印字したり、外部の装置に送信したり、記録媒体に蓄積したり、他の処理装置や他のプログラムなどに引渡したりしてもよく、その出力態様は問わない。なお、各種の登録情報とは、駐車場情報、オーナー情報、パートナー情報等である。
【００７１】
管理受信部２４は、各種の情報を受信する。各種の情報とは、例えば、予約情報、各種の登録情報などである。管理受信部２４は、例えば、ユーザ端末３からの貸与指示に応じて駐車場予約管理装置１で構成された予約情報を、駐車場予約管理装置１から受信することは好適である。
【００７２】
管理送信部２５は、各種の情報を送信する。各種の情報とは、例えば、パートナー登録情報などである。管理送信部２５は、管理受付部２１が受け付けたパートナー登録情報を、駐車場予約管理装置１に送信する。また、管理送信部２５は、管理処理部２２が構成した空台数情報を駐車場予約管理装置１に送信してもよい。
【００７３】
ユーザ端末３を構成するユーザ受付部３１は、各種の情報を受け付ける。各種の情報とは、例えば、画面出力指示、貸与指示などである。ユーザ受付部３１は、画面出力指示等を、通常、キーボード等の入力デバイスを介して受け付ける。
【００７４】
ユーザ処理部３２は、各種の処理を行う。各種の処理とは、例えば、後述するフローチャートで説明する各種の判別などである。
【００７５】
ユーザ送信部３３は、各種の情報を送信する。各種の情報とは、例えば、画面出力指示、貸与指示などである。ユーザ送信部３３は、ユーザ受付部３１が受け付けた画面出力指示等を、駐車場予約管理装置１に送信する。ユーザ送信部３３は、画面出力指示等を、通常、ユーザ識別子と対に、駐車場予約管理装置１に送信する。
【００７６】
ユーザ受信部３４は、各種の情報を受信する。各種の情報とは、例えば、画面情報、予約情報などである。ユーザ受信部３４は、ユーザ送信部３３が画面出力指示を送信したことに応じて、駐車場予約管理装置１から画面情報を受信する。ユーザ受信部３４は、画面情報を、２以上の駐車場情報と対に受信してもよい。また、ユーザ受信部３４は、ユーザ送信部３３が貸与指示を送信したことに応じて、駐車場予約管理装置１から予約情報を受信することは好適である。
【００７７】
ユーザ出力部３５は、各種の情報を出力する。各種の情報とは、例えば、画面情報、予約情報などである。ユーザ出力部３５は、ユーザ受信部３４が受信した画面情報等を、通常、ディスプレイ等の出力デバイスを介して出力する。ユーザ出力部３５は、画面情報を、当該画面情報と対に受信された２以上の駐車場情報に基づく２以上の駐車場マークと共に、出力してもよい。なお、画面情報の出力とは、画面の出力と同意義である。
【００７８】
格納部１１、駐車場情報格納部１１１、オーナー情報格納部１１２、パートナー情報格納部１１３、画面情報格納部１１４、および予約情報格納部１１５は、例えば、ハードディスクやフラッシュメモリといった不揮発性の記録媒体が好適であるが、ＲＡＭなど揮発性の記録媒体でも実現可能である。
【００７９】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【００８０】
受付部１２、管理受付部２１、およびユーザ受付部３１は、入力デバイスを含むと考えても、含まないと考えてもよい。受付部１２等は、入力デバイスのドライバーソフトによって、または入力デバイスとそのドライバーソフトとで実現され得る。
【００８１】
受信部１３、画面出力指示受信部１３１、貸与指示受信部１３２、管理受信部２４、およびユーザ受信部３４は、通常、有線または無線の通信手段（例えば、ネットワークカードやモデム等の通信モジュール）で実現されるが、放送を受信する手段（例えば、放送受信モジュール）で実現されてもよい。
【００８２】
処理部１４、パートナー登録部１４１、オーナー登録部１４２、予約情報構成部１４３、課金処理部１４４、分配処理部１４５、ユーザ処理部３２、および管理処理部２２は、通常、ＭＰＵやメモリ等から実現され得る。処理部１４等の処理手順は、通常、ソフトウェアで実現され、当該ソフトウェアはＲＯＭ等の記録媒体に記録されている。ただし、処理手順は、ハードウェア（専用回路）で実現してもよい。
【００８３】
送信部１５、画面情報送信部１５１、管理送信部２５、およびユーザ送信部３３は、
通常、有線または無線の通信手段で実現されるが、放送手段（例えば、放送モジュール）で実現されてもよい。
【００８４】
管理出力部２３、およびユーザ出力部３５は、ディスプレイやスピーカー等の出力デバイスを含むと考えても含まないと考えてもよい。管理出力部２３等は、出力デバイスのドライバーソフトによって、または出力デバイスとそのドライバーソフトとで実現され得る。
【００８５】
次に、本駐車場予約管理システムの動作について、図２〜図４のフローチャートを用いて説明する。なお、既出の事項に関する説明は、省略または簡略化している。
【００８６】
図２は、駐車場予約管理装置１の動作を説明するフローチャートである。
【００８７】
（ステップＳ２０１）処理部１４は、画面出力指示受信部１３１が画面出力指示を受信したか否かを判別する。画面出力指示受信部１３１が画面出力指示を受信した場合はステップＳ２０２に進み、受信していない場合はステップＳ２０３に進む。
【００８８】
（ステップＳ２０２）画面情報送信部１５１は、画面情報格納部１１４に格納されている画面情報を、当該画面出力指示の送信元であるユーザ端末３に送信する。その後、ステップＳ２０１に戻る。
【００８９】
（ステップＳ２０３）処理部１４は、貸与指示受信部１３２が貸与指示を受信したか否かを判別する。貸与指示受信部１３２が貸与指示を受信した場合はステップＳ２０４に進み、受信していない場合はステップＳ２０６に進む。
【００９０】
（ステップＳ２０４）予約情報構成部１４３は、受信された貸与指示が有する駐車場識別子または箇所識別子、および当該貸与指示と対に受信されたユーザ識別子などを有する予約情報を構成し、予約情報格納部１１５に蓄積する。
【００９１】
（ステップＳ２０５）送信部１５は、保持している第一対応情報を用いて、予約情報構成部１４３が構成した予約情報を、当該予約情報が有する駐車場識別子または箇所識別子に対応する管理端末２に送信する。また、送信部１５は、保持している第二対応情報を用いて、構成された予約情報を、当該予約情報が有するユーザ識別子に対応するユーザ端末３にも送信する。その後、ステップＳ２０１に戻る。
【００９２】
（ステップＳ２０６）処理部１４は、受付部１２がパートナー登録情報等を受け付けたか否かを判別する。受付部１２による受け付けは、通常、管理端末２からの受信であるが、例えば、入力デバイスを介した受け付けや、記録媒体からの読み出しなども含む。受付部１２がパートナー登録情報等を受け付けた場合はステップＳ２０７に進み、受け付けていない場合はステップＳ２１０に進む。
【００９３】
（ステップＳ２０７）パートナー登録部１４１は、受付部１２が受け付けたパートナー登録情報が有するパートナー情報をパートナー情報格納部１１３に蓄積する。
【００９４】
（ステップＳ２０８）パートナー登録部１４１は、受付部１２が受け付けたパートナー登録情報が有する１以上のオーナー情報をオーナー情報格納部１１２に蓄積する。
【００９５】
（ステップＳ２０９）パートナー登録部１４１は、受付部１２が受け付けたパートナー登録情報が有する１以上の駐車場情報を駐車場情報格納部１１１に蓄積する。その後、ステップＳ２０１に戻る。
【００９６】
（ステップＳ２１０）処理部１４は、受付部１２がオーナー登録情報を受け付けたか否かを判別する。受付部１２がオーナー登録情報を受け付けた場合はステップＳ２１１に進み、受け付けていない場合はステップＳ２１３に進む。
【００９７】
（ステップＳ２１１）オーナー登録部１４２は、受付部１２が受け付けたオーナー登録情報が有するオーナー情報をオーナー情報格納部１１２に蓄積する。
【００９８】
（ステップＳ２１２）オーナー登録部１４２は、受付部１２が受け付けたオーナー登録情報が有する１以上の駐車場情報を駐車場情報格納部１１１に蓄積する。その後、ステップＳ２０１に戻る。
【００９９】
（ステップＳ２１３）処理部１４は、課金するか否かを判断する。課金する場合はステップＳ２１４に進み、課金しない場合はステップＳ２１５に進む。なお、処理部１４は、例えば、利用開始時間から閾値以内になったこと、実際に利用されたこと等の、課金の実行に関する予め決められた条件を保持しており、当該条件を満たす場合、課金すると判断する。
【０１００】
（ステップＳ２１４）課金処理部１４４は、課金処理を実行する。なお、課金処理については、前述したので繰り返さない。その後、ステップＳ２０１に戻る。
【０１０１】
（ステップＳ２１５）処理部１４は、分配するか否かを判断する。分配する場合はステップＳ２１６に進み、分配しない場合はステップＳ２０１に戻る。なお、処理部１４は、例えば、所定の日時になったこと、課金処理が完了したこと等の、分配の実行に関する予め決められた条件を保持しており、当該条件を満たす場合、分配すると判断する。
【０１０２】
（ステップＳ２１６）分配処理部１４５は、分配処理を実行する。なお、分配処理については、前述したので繰り返さない。その後、ステップＳ２０１に戻る。
【０１０３】
なお、図２のフローチャートにおいて、駐車場予約管理装置１の電源オンやプログラムの起動に応じて処理が開始し、電源オフや処理終了の割り込みにより処理は終了する。ただし、処理の開始または終了のトリガは問わない。
【０１０４】
図３は、管理端末２の動作を説明するフローチャートである。
【０１０５】
（ステップＳ３０１）管理処理部２２は、管理受信部２４が予約情報を受信したか否かを判別する。管理受信部２４が予約情報を受信した場合はステップＳ３０２に進み、受信していない場合はステップＳ３０３に進む。
【０１０６】
（ステップＳ３０２）管理出力部２３は、管理受信部２４が受信した予約情報を、ディスプレイ等の出力デバイスを介して出力する。その後、ステップＳ３０１に戻る。なお、管理端末２のユーザである管理者の指示を受け付けたことに応じて、管理出力部２３は、蓄積されている予約情報を出力しても良い。
【０１０７】
（ステップＳ３０３）管理処理部２２は、管理受付部２１がパートナー登録情報を受け付けたか否かを判別する。管理受付部２１がパートナー登録情報を受け付けた場合はステップＳ３０４に進み、受け付けていない場合はステップＳ３０５に進む。
【０１０８】
（ステップＳ３０４）管理送信部２５は、管理受付部２１が受け付けたパートナー登録情報を、駐車場予約管理装置１に送信する。その後、ステップＳ３０１に戻る。
【０１０９】
（ステップＳ３０５）管理処理部２２は、管理受付部２１がオーナー登録情報を受け付けたか否かを判別する。管理受付部２１がオーナー登録情報を受け付けた場合はステップＳ３０６に進み、受け付けていない場合はステップＳ３０１に戻る。
【０１１０】
（ステップＳ３０６）管理送信部２５は、管理受付部２１が受け付けたオーナー登録情報を駐車場予約管理装置１に送信する。その後、ステップＳ３０１に戻る。
【０１１１】
なお、図３のフローチャートにおいて、管理端末２の電源オンやプログラムの起動に応じて処理が開始し、電源オフや処理終了の割り込みにより処理は終了する。ただし、処理の開始または終了のトリガは問わない。
【０１１２】
図４は、ユーザ端末３の動作を説明するフローチャートである。
【０１１３】
（ステップＳ４０１）ユーザ処理部３２は、ユーザ受付部３１が画面出力指示を受け付けたか否かを判別する。ユーザ受付部３１が画面出力指示を受け付けた場合はステップＳ４０２に進み、受け付けていない場合はステップＳ４０１に戻る。
【０１１４】
（ステップＳ４０２）ユーザ送信部３３は、ユーザ受付部３１が受け付けた画面出力指示を駐車場予約管理装置１に送信する。
【０１１５】
（ステップＳ４０３）ユーザ処理部３２は、ユーザ受信部３４が画面情報を受信したか否かを判別する。ユーザ受信部３４が画面情報を受信した場合はステップＳ４０４に進み、受信していない場合はステップＳ４０３に戻る。
【０１１６】
（ステップＳ４０４）ユーザ出力部３５は、ユーザ受信部３４が受信した画面情報を、ディスプレイ等の出力デバイスを介して出力する。
【０１１７】
（ステップＳ４０５）ユーザ処理部３２は、ユーザ受付部３１が貸与指示を受け付けたか否かを判別する。ユーザ受付部３１が貸与指示を受け付けた場合はステップＳ４０６に進み、受け付けていない場合はステップＳ４０５に戻る。
【０１１８】
（ステップＳ４０６）ユーザ送信部３３は、ユーザ受付部３１が受け付けた貸与指示を駐車場予約管理装置１に送信する。
【０１１９】
（ステップＳ４０７）ユーザ処理部３２は、ユーザ受信部３４が予約情報を受信したか否かを判別する。ユーザ受信部３４が予約情報を受信した場合はステップＳ４０８に進み、受信していない場合はステップＳ４０７に戻る。
【０１２０】
（ステップＳ４０８）ユーザ出力部３５は、ユーザ受信部３４が受信した予約情報を、ディスプレイ等の出力デバイスを介して出力する。その後、ステップＳ４０１に戻る。
【０１２１】
なお、図４のフローチャートにおいて、ユーザ端末３の電源オンやプログラムの起動に応じて処理が開始し、電源オフや処理終了の割り込みにより処理は終了する。ただし、処理の開始または終了のトリガは問わない。
【０１２２】
以下、本実施の形態における本駐車場予約管理システムの具体的な動作例について説明する。なお、以下の説明は、種々の変更が可能であり、本発明を何ら限定するものではない。また、既出の事項に関する説明は、省略または簡略化している。
【０１２３】
（具体例１）
駐車場予約管理装置１の駐車場情報格納部１１１には、図５に示すような５以上の駐車場情報が格納されている。図５は、具体例１における駐車場情報のデータ構造図である。駐車場情報は、駐車場識別子、位置情報、および設備情報などを有する。
【０１２４】
格納されている５以上の各駐車場情報は、ＩＤ（本例では、１，２，…）に対応付いている。例えば、ＩＤ“１”に対応付いた駐車場情報（以下、駐車場情報１と記す場合がある）は、駐車場識別子“ＡＡ１”、位置情報“（ｘ１、ｙ１）”、および設備情報“最大１０台，空台数３台”などを有する。また、ＩＤ“２”に対応付いた駐車場情報（駐車場情報２）は、駐車場識別子“ＡＡ２”、位置情報“（ｘ２、ｙ２）”、および設備情報“最大１５台，空台数５台”などを有する。なお、空台数は、本例では、現時点の空台数であるが、時間帯ごとの空台数であることは好適である。
【０１２５】
オーナー情報格納部１１２には、図６に示すような４以上のオーナー情報が格納されている。図６は、具体例１におけるオーナー情報のデータ構造図である。オーナー情報は、オーナー識別子、１以上の駐車場識別子、および第一分配情報などを有する。
【０１２６】
格納されている４以上の各オーナー情報は、ＩＤ（本例では、１，２，…）に対応付いている。例えば、ＩＤ“１”に対応付いたオーナー情報（以下、オーナー情報１と記す場合がある）は、オーナー識別子“ＡＡ”、１以上の駐車場識別子“ＡＡ１”，“ＡＡ２”、および第一分配情報“５：４”などを有する。また、ＩＤ“２”に対応付いたオーナー情報（オーナー情報２）は、オーナー識別子“ＢＢ”、１以上の駐車場識別子“ＢＢ１”、および第一分配情報“７：２”などを有する。
【０１２７】
パートナー情報格納部１１３には、図７に示すような２以上のパートナー情報が格納されている。図７は、具体例１におけるパートナー情報のデータ構造図である。パートナー情報は、パートナー識別子、１以上のオーナー識別子、および第二分配情報などを有する。
【０１２８】
格納されている２以上の各パートナー情報は、ＩＤ（本例では、１，２，…）に対応付いている。例えば、ＩＤ“１”に対応付いたパートナー情報（以下、パートナー情報１と記す場合がある）は、パートナー識別子“Ｐ１”、１以上のオーナー識別子“ＡＡ”，“ＢＢ”、および第二分配情報“４：３”などを有する。また、ＩＤ“２”に対応付いたパートナー情報（パートナー情報２）は、パートナー識別子“Ｐ２”、１以上のオーナー識別子“ＣＣ”，“ＤＤ”、および第二分配情報“２：１”などを有する。
【０１２９】
画面情報格納部１１４には、図示しない画面情報が格納されている。この画面情報は、パートナー情報格納部１１３に格納されている２以上のパートナー識別子に対応する２以上のパートナーが管理する２以上の駐車場の予約を行う画面を構成するための情報である。画面情報は、例えば、ＨＴＭＬなどであるが、そのデータ形式は問わない。
【０１３０】
予約情報格納部１１５には、図示しない１以上の予約情報が格納される。予約情報は、ユーザ識別子、駐車場識別子、箇所識別子、および時間帯情報などを有する。
【０１３１】
予約情報格納部１１５に格納されている２以上の各予約情報は、ＩＤ（本例では、１，２，…）に対応付いている。例えば、ＩＤ“１”に対応付いた予約情報（以下、予約情報１と記す場合がある）は、ユーザ識別子“ａａ”、駐車場識別子“ＡＡ１”、箇所識別子“−”、および時間帯情報“現時点”などを有する。また、ＩＤ“２”に対応付いた予約情報（予約情報２）は、ユーザ識別子“ｂｂ”、駐車場識別子“−”、箇所識別子“ＣＣ１ａ”、および時間帯情報“本日の１５時から２時間”などを有する。
【０１３２】
いま、ユーザが、ユーザ端末３の入力デバイスを介して画面出力指示を入力したとする。
【０１３３】
ユーザ端末３において、ユーザ受付部３１が上記画面出力指示を受け付け、ユーザ送信部３３は、受け付けられた画面出力指示を駐車場予約管理装置１に送信する。
【０１３４】
駐車場予約管理装置１において、画面出力指示受信部１３１が上記画面出力指示を受信し、画面情報送信部１５１は、画面情報格納部１１４に格納されている画面情報を、駐車場情報格納部１１１に格納されている２以上の駐車場情報と対に、当該画面出力指示の送信元であるユーザ端末３に送信する。
【０１３５】
ユーザ端末３において、ユーザ受信部３４が上記画面情報を２以上の駐車場情報と対に受信し、ユーザ出力部３５は、受信された画面情報を、２以上の駐車場情報に基づく２以上の駐車場マークと共に、ディスプレイ等の出力デバイスを介して出力する。これによって、例えば、ユーザ端末３のディスプレイに、図８に示すような画面が表示される。この画面は、地図、および当該地図上に配置された２以上の駐車場マークなどを有する。
【０１３６】
ユーザ出力部３５は、２以上の駐車場マークを、地図上の、位置情報に応じた位置に配置する。ユーザ出力部３５は、２以上の駐車場マークに、駐車場識別子を対応付けて出力することは好適である。
【０１３７】
また、ユーザ出力部３５は、２以上の駐車場マークを、空台数に応じて異なる態様で表示することは好適である。ユーザ出力部３５は、例えば、空台数が０台である駐車場の駐車場マークをグレーアウトしてもよい。また、ユーザ出力部３５は、空台数が１台以上である駐車場の駐車場マークに、その空台数を示す数字を対応付けてもよい。
【０１３８】
ユーザは、上記画面を参照して、２以上の駐車場マークのいずれかを指定することで、例えば、駐車場ＡＡ１の貸与を申し出る貸与指示を入力したとする。この指示は、駐車場識別子“ＡＡ１”を有する。
【０１３９】
ユーザ端末３において、ユーザ受付部３１が上記貸与指示を受け付け、ユーザ送信部３３は、受け付けられた貸与指示を駐車場予約管理装置１に送信する。
【０１４０】
駐車場予約管理装置１において、貸与指示受信部１３２が上記貸与指示を受信し、予約情報構成部１４３は、受信された貸与指示が有する駐車場識別子“ＡＡ１”、および当該貸与指示と対に受信されたユーザ識別子“ａａ”などを有する予約情報を構成し、構成した予約情報を予約情報格納部１１５に蓄積する。
【０１４１】
送信部１５は、保持している第一対応情報を用いて、上記予約情報を、当該予約情報が有する駐車場識別子“ＡＡ１”に対応する管理端末２に送信する。また、送信部１５は、保持している第二対応情報を用いて、上記予約情報を、当該予約情報が有するユーザ識別子“ａａ”に対応するユーザ端末３にも送信する。
【０１４２】
管理端末２において、管理受信部２４が上記予約情報を受信し、管理出力部２３は、受信された予約情報を、ディスプレイ等の出力デバイスを介して出力する。これによって、例えば、管理端末２のディスプレイに、当該予約情報に対応するテキスト“ユーザａａさんから、駐車場ＡＡ１の予約を受け付けました”が表示される。
【０１４３】
また、ユーザ端末３において、ユーザ受信部３４が予約情報を上記受信し、ユーザ出力部３５は、受信された予約情報を、ディスプレイ等の出力デバイスを介して出力する。これによって、例えば、ユーザ端末３のディスプレイに、当該予約情報に対応するテキスト“駐車場ＡＡ１の予約を受け付けました”が表示される。なお、管理端末２のディスプレイに表示されるテキストと、管理端末２のディスプレイに表示されるテキストとは、同じでもよいし、異なっていてもよい。
【０１４４】
また、管理者が、管理端末２の入力デバイスを介して新たなパートナー登録情報を入力したとする。受け付けられたパートナー登録情報は、２つのオーナー識別子“ＥＥ”，“ＦＦ”、３つの駐車場識別子“ＥＥ１”，“ＥＥ２”，“ＦＦ１”、パートナー識別子“Ｐ３”、２つの第一分配情報“５：４”，“５：４”、および第二分配情報“２：１”などを有する。
【０１４５】
管理端末２において、管理受付部２１が上記パートナー登録情報を受け付け、管理送信部２５は、受け付けられたパートナー登録情報を駐車場予約管理装置１に送信する。
【０１４６】
なお、管理受付部２１がオーナー登録情報を受け付けた場合、管理送信部２５は、当該オーナー登録情報を駐車場予約管理装置１に送信する。
【０１４７】
駐車場予約管理装置１において、受付部１２が、管理端末２において受け付けられた上記パートナー登録情報等を受信し、パートナー登録部１４１は、受け付けられたパートナー登録情報が有するパートナー情報を、例えばＩＤ“３”に対応付けてパートナー情報格納部１１３に蓄積する。受け付けられたパートナー登録情報が有するパートナー情報とは、パートナー識別子“Ｐ３”、２つのオーナー識別子“ＥＥ”，“ＦＦ”、第二分配情報“２：１”などを含む情報である。これによって、パートナー情報格納部１１３には、新たなパートナー情報３が格納される結果となる。
【０１４８】
また、パートナー登録部１４１は、当該パートナー登録情報が有する２つのオーナー情報を、例えばＩＤ“５”，“６”に対応付けてオーナー情報格納部１１２に蓄積する。当該パートナー登録情報が有する２つのオーナー情報とは、オーナー識別子“ＥＥ”、２つの駐車場識別子“ＥＥ１”，“ＥＥ２”、および第一分配情報“５：４”を含む情報と、オーナー識別子“ＦＦ”、駐車場識別子“ＦＦ１”、および第一分配情報“５：４”を含む情報との、２つの情報である。これによって、オーナー情報格納部１１２には、新たな２つのオーナー情報５および６が格納される結果となる。
【０１４９】
さらに、パートナー登録部１４１は、当該パートナー登録情報が有する３つの駐車場情報を、例えばＩＤ“６”，“７”，“８”に対応付けて駐車場情報格納部１１１に蓄積する。これによって、駐車場情報格納部１１１には、新たな３つの駐車場情報６〜８が格納される結果となる。
【０１５０】
なお、受付部１２が、管理端末２において受け付けられたオーナー登録情報等を受信した場合、オーナー登録部１４２は、当該オーナー登録情報が有するオーナー情報をオーナー情報格納部１１２に蓄積し、また、当該オーナー登録情報が有する１以上の駐車場情報を駐車場情報格納部１１１に蓄積する。
【０１５１】
例えば、上記のような予約に従い、ユーザａａが駐車場ＡＡ１を利用すると、課金処理部１４４は、課金処理を実行する。詳しくは、課金処理部１４４は、例えば、単位時間当たりの駐車料金に利用時間を乗算して、駐車料金を算出し、算出した駐車料金（例えば、“２００円／時間”×“２時間”＝“４００円”）を、予めユーザａａが登録したクレジットカードで決済してもよい。
【０１５２】
また、例えば、所定の日時（本例では、月末）になると、分配処理部１４５は、分配処理を実行する。詳しくは、オーナーＡＡが所有する２つの駐車場ＡＡ１およびＡＡ２での当月の売り上げが１２万円であり、オーナーとパートナーＰ１と運営企業との間の分配比率が５:４:３である場合、分配処理部１４５は、売り上げ“１２万円”のうち、１２分の５相当の“５万円”をオーナーに分配し、１２分の４相当の“４万円”をパートナーＰ１に分配し、１２分の３相当の“３万円”を運営企業に分配する。
【０１５３】
図９は、本駐車場予約管理システムを用いて実現されるプラットフォームの概念図である。このプラットフォームは、第一階層“運営企業”、第二階層“パートナー”、および第三階層“オーナー”の三階層によって管理される。第一階層“運営企業”に属する企業は、本駐車場予約管理システムの運営主体である。第三階層“オーナー”には、２つの駐車場ＡＡ１およびＡＡ２を所有するオーナーＡＡと、駐車場ＢＢ１を所有するオーナーＢＢと、駐車場ＣＣ１を所有するオーナーＣＣと、駐車場ＤＤ１を所有するオーナーＤＤとの４オーナーが属している。第二階層“パートナー”には、オーナーＡＡおよびオーナーＢＢを統括するパートナーＰ１と、オーナーＣＣおよびオーナーＤＤを統括するパートナーＰ２との２パートナーが属している。
【０１５４】
パートナーＰ１およびＰ２は、それぞれ独自の予約システムを運営しながら、本駐車場予約管理システムに管理者として参加できる。また、現在は、独立して別の予約システムを運営しているパートナーＰ３が、後に、本駐車場予約管理システムに参加することも可能である。
【０１５５】
ユーザは、本駐車場予約管理システムを利用することで、どのパートナーに属する駐車場でも、シームレスに予約することができる。ただし、パートナー独自の予約システムも機能しているので、ユーザには、各パートナー独自の予約システムを通じて所望の駐車場を予約する選択肢もある。
【０１５６】
オーナーは、本例では、いずれかのパートナーの配下にあるが、どのパートナーにも属さない独立したオーナーも、本駐車場予約管理システムに管理者として容易に参加可能である。
【０１５７】
（具体例２）
具体例１との相違は、パートナー情報およびオーナー情報のデータ構造のみである。
【０１５８】
オーナー情報格納部１１２には、図１０に示すような４以上のオーナー情報が格納されている。図１０は、具体例２におけるオーナー情報のデータ構造図である。オーナー情報は、オーナー識別子、１以上の駐車場識別子、および第一分配情報などを有する。
【０１５９】
格納されている４以上の各オーナー情報は、ＩＤ（１，２，…）に対応付いている。例えば、ＩＤ“１”に対応付いたオーナー情報（オーナー情報１）は、オーナー識別子“ＡＡ”、および１以上の駐車場識別子“ＡＡ１”，“ＡＡ２”などを有する。また、ＩＤ“２”に対応付いたオーナー情報（オーナー情報２）は、オーナー識別子“ＢＢ”、および１以上の駐車場識別子“ＢＢ１”などを有する。
【０１６０】
パートナー情報格納部１１３には、図１１に示すような２以上のパートナー情報が格納されている。図１１は、具体例２におけるパートナー情報のデータ構造図である。パートナー情報は、パートナー識別子、１以上の駐車場識別子、第一分配情報、および第二分配情報などを有する。
【０１６１】
格納されている２以上の各パートナー情報は、ＩＤ（１，２，…）に対応付いている。例えば、ＩＤ“１”に対応付いたパートナー情報（パートナー情報１）は、パートナー識別子“Ｐ１”、３つの駐車場識別子“ＡＡ１”，“ＡＡ２”，“ＢＢ１”、２つの第一分配情報“５：４”，“７：２”、および第二分配情報“４：３”などを有する。なお、上記２つの第一分配情報のうち、前者の第一分配情報“５：４”は、２つの駐車場識別子“ＡＡ１”，“ＡＡ２”に対応付き、後者の第一分配情報“７：２”は、駐車場識別子“ＢＢ１”に対応付いている。
【０１６２】
また、ＩＤ“２”に対応付いたパートナー情報（パートナー情報２）は、パートナー識別子“Ｐ２”、２つの駐車場識別子“ＣＣ１”，“ＤＤ１”２つの第一分配情報“５：４”，“５：４”、および第二分配情報“２：１”などを有する。
【０１６３】
すなわち、前述の具体例１では、パートナー情報とオーナー情報とは、駐車場識別子を介して関連付けられていたが、この具体例２では、両者は、駐車場識別子を介して関連付けられる。両者の組み合わせが有する情報の内容は、具体例１と具体例２とで同じであるから、具体例２における駐車場予約管理システムの動作は、基本的に具体例１と同様である。
【０１６４】
なお、具体例１のプラットフォームでは、どのパートナーにも属さないオーナーも管理者として容易に参加可能であったが、具体例２のプラットフォームでは、第一および第二の分配情報の両方がオーナ情報に含まれることから、かかるオーナーは、通常、パートナーを介して参加することになる。
【０１６５】
以上、本実施の形態によれば、記録媒体は、駐車場に関する情報であり、駐車場を識別する駐車場識別子を有する２以上の駐車場情報が格納される駐車場情報格納部１１１と、駐車場のオーナーに関する情報であり、オーナーを識別するオーナー識別子と１以上の駐車場識別子とを有する２以上のオーナー情報が格納されるオーナー情報格納部１１２と、１以上の駐車場を管理する組織であるパートナーに関する情報であり、１以上のオーナー識別子または１以上の駐車場識別子と、パートナーを識別するパートナー識別子とを有する２以上のパートナー情報が格納されるパートナー情報格納部１１３と、駐車場の予約に関する情報であり、駐車場を予約するユーザを識別するユーザ識別子と、駐車場識別子または駐車場内の一駐車場所を識別する箇所識別子とを有する１以上の予約情報が格納される予約情報格納部１１５と、２以上のパートナー識別子に対応する２以上のパートナーが管理する２以上の駐車場の予約を行う画面を構成する画面情報が格納される画面情報格納部１１４とを格納しており、駐車場予約管理装置１は、画面情報の出力の指示である画面出力指示を、ユーザ端末３から受信し、画面出力指示の受信に応じて、画面情報をユーザ端末３に送信し、駐車場の貸与の申し出であり、駐車場識別子または駐車場内の一駐車場所を識別する箇所識別子と、駐車場の貸与の時間帯に関する時間帯情報とを有する申し出である貸与指示を、ユーザ端末３から受信し、貸与指示の受信に応じて、予約情報を構成し、予約情報格納部１１５に蓄積することにより、複数の駐車場のオーナーが提供し、複数の管理組織であるパートナーにより管理される複数の駐車場をシームレスに予約できるプラットフォームを提供できる。
【０１６６】
また、駐車場予約管理装置１は、駐車場の予約または駐車場の利用に対して、ユーザに課金するための課金処理を行い、課金処理により課金された金額を、オーナーとパートナーと駐車場予約管理装置１の運営企業との間で分配するための分配処理を行うことにより、上記プラットフォームにおいて、課金した金額を適切に分配できる。
【０１６７】
また、駐車場予約管理装置１は、予め決められた条件を満たした場合に、課金処理を行うことにより、上記プラットフォームにおいて、適切に課金できる。
【０１６８】
また、パートナー情報は、オーナーとパートナーとの間の分配に関する分配情報、パートナーと駐車場予約管理装置１の運営企業との間の分配に関する分配情報のうちに１以上の分配情報を有し、駐車場予約管理装置１は、パートナー情報が有する分配情報を用いて、分配処理を行うことにより、パートナー毎の分配条件に従った、金額の分配ができる。
【０１６９】
また、オーナー情報は、オーナーとパートナーとの間の分配に関する分配情報を有し、駐車場予約管理装置１は、オーナー情報が有する分配情報を用いて、分配処理を行うことにより、オーナー毎の分配条件に従った、金額の分配ができる。
【０１７０】
また、駐車場予約管理装置１は、パートナー情報と、パートナー情報に対応する１以上のオーナー情報と，オーナー情報に対応する１以上の駐車場情報を有するパートナー登録情報を受け付け、パートナー登録情報が有するパートナー情報をパートナー情報格納部１１３に蓄積し、パートナー登録情報が有する１以上のオーナー情報をオーナー情報格納部１１２に蓄積し、パートナー登録情報が有する１以上の駐車場情報を駐車場情報格納部１１１に蓄積することにより、パートナー情報等の登録ができる。
【０１７１】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置を実現するソフトウェアは、以下のようなプログラムである。
【０１７２】
つまり、コンピュータがアクセス可能な記録媒体は、駐車場に関する情報であり、駐車場を識別する駐車場識別子を有する２以上の駐車場情報が格納される駐車場情報１１１と、駐車場のオーナーに関する情報であり、オーナーを識別するオーナー識別子と１以上の駐車場識別子とを有する２以上のオーナー情報が格納されるオーナー情報格納部１１２と、１以上の駐車場を管理する組織であるパートナーに関する情報であり、１以上のオーナー識別子または１以上の駐車場識別子と、パートナーを識別するパートナー識別子とを有する２以上のパートナー情報が格納されるパートナー情報格納部１１３と、駐車場の予約に関する情報であり、駐車場を予約するユーザを識別するユーザ識別子と、駐車場識別子または駐車場内の一駐車場所を識別する箇所識別子とを有する１以上の予約情報が格納される予約情報格納部１１５と、２以上のパートナー識別子に対応する２以上のパートナーが管理する２以上の駐車場の予約を行う画面を構成する画面情報が格納される画面情報格納部１１４とを具備しており、このプログラムは、コンピュータを、画面情報の出力の指示である画面出力指示を、ユーザ端末３から受信する画面出力指示受信部１３１と、画面出力指示の受信に応じて、画面情報をユーザ端末３に送信する画面情報送信部１５１と、駐車場の貸与の申し出であり、駐車場識別子または駐車場内の一駐車場所を識別する箇所識別子と、駐車場の貸与の時間帯に関する時間帯情報とを有する申し出である貸与指示を、ユーザ端末３から受信する貸与指示受信部１３２と、貸与指示の受信に応じて、予約情報を構成し、予約情報格納部１１５に蓄積する予約情報構成部として機能させるためのプログラムである。
【０１７３】
図１２は、本実施の形態におけるプログラムを実行して、駐車場予約管理装置１、管理端末２、またはユーザ端末３を実現するコンピュータシステム９００の外観図である。本実施の形態は、コンピュータハードウェアおよびその上で実行されるコンピュータプログラムによって実現され得る。図１２において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０１７４】
図１３は、コンピュータシステム９００の内部構成の一例を示す図である。図１３において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０１７５】
コンピュータシステム９００に、駐車場予約管理装置１等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０１７６】
プログラムは、コンピュータの詳細を示す９０１に、駐車場予約管理装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１７７】
なお、上述したコンピュータシステム９００は、サーバまたは据え置き型のＰＣであるが、管理端末２またはユーザ端末３のうち１以上の端末は、例えば、タブレット端末やスマートフォンやノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることが望ましい。ただし、以上は例示であり、駐車場予約管理装置１等を実現するコンピュータのハードウェア構成は問わない。
【０１７８】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１７９】
また、上記プログラムを実行するコンピュータは、単数であってもよく、複数であってもよい。すなわち、集中処理を行ってもよく、あるいは分散処理を行ってもよい。
【０１８０】
また、上記各実施の形態において、一の装置に存在する２以上の通信手段は、物理的に一の媒体で実現されてもよいことはいうまでもない。
【０１８１】
また、上記各実施の形態において、各処理は、単一の装置によって集中処理されることによって実現されてもよく、あるいは、複数の装置によって分散処理されることによって実現されてもよい。
【０１８２】
本発明は、以上の実施の形態に限定されることなく、種々の変更が可能であり、それらも本発明の範囲内に包含されるものであることはいうまでもない。
【産業上の利用可能性】
【０１８３】
以上のように、本発明にかかる駐車場予約管理装置等は、複数の駐車場のオーナーが提供し、複数の管理組織であるパートナーにより管理される複数の駐車場をシームレスに予約するプラットフォームを提供できるという効果を有し、駐車場予約管理装置等として有用である。
【符号の説明】
【０１８４】
１  駐車場予約管理装置
２  管理端末
３  ユーザ端末
１１  格納部
１２  受付部
１３  受信部
１４  処理部
１５  送信部
２１  管理受付部
２２  管理処理部
２３  管理出力部
２４  管理受信部
２５  管理送信部
３１  ユーザ受付部
３２  ユーザ処理部
３３  ユーザ送信部
３４  ユーザ受信部
３５  ユーザ出力部
１１１  駐車場情報格納部
１１２  オーナー情報格納部
１１３  パートナー情報格納部
１１４  画面情報格納部
１１５  予約情報格納部
１３１  画面出力指示受信部
１３２  貸与指示受信部
１４１  パートナー登録部
１４２  オーナー登録部
１４３  予約情報構成部
１４４  課金処理部
１４５  分配処理部
１５１  画面情報送信部
【図１】
2018106544.tif 000003
【図２】
2018106544.tif 000004
【図３】
2018106544.tif 000005
【図４】
2018106544.tif 000006
【図５】
2018106544.tif 000007
【図６】
2018106544.tif 000008
【図７】
2018106544.tif 000009
【図８】
2018106544.tif 000010
【図９】
2018106544.tif 000011
【図１０】
2018106544.tif 000012
【図１１】
2018106544.tif 000013
【図１２】
2018106544.tif 000014
【図１３】
2018106544.tif 000015